(57)【要約】【課題】  主として飲料用の液体を充填する容器内部に、閉蓋時には全体を容器内部に収納し容器口部に蓋を冠着し収容し収容状態とでき、開蓋時には蓋を取外して後端が容器口部より容器外部に突出状とし飲用状態とできる可撓ストロー及びその容器の提供。【解決手段】  先端に流入口を後端に流出口を有し先端乃至後端の一部に可撓部を有してなる可撓ストローを容器内部に挿入し、容器口部には可撓ストローとの間の開口を塞ぐ内蓋を取付し、蓋を容器内部方向に押し当てることにより、可撓部を撓曲させ先端乃至後端の間隔を短縮し、全体を容器内部に収納し容器口部に蓋を冠着して閉蓋し、また、該容器内部に収納した可撓ストローは、蓋を取外して開蓋することにより、撓曲した可撓部を復元し先端乃至後端の間隔を伸長し、後端が容器口部より容器外部に突出状とする。【選択図】  図８
0003103419.tif 000002
【実用新案登録請求の範囲】
【請求項１】
先端に流入口を後端に流出口を有し、先端乃至後端の一部に可撓部を有して成り、主として飲料用の液体を充填する容器内部に、先端乃至後端の長さ寸法を容器底部乃至容器口部より長くし、容器内部に先端を容器底部に当接状とし後端を容器口部より容器外部に突出状として挿入し、閉蓋時には可撓部を撓曲させ先端乃至後端の間隔を短縮し、全体を容器内部に収納し容器口部に蓋を冠着し、開蓋時には蓋を取外して撓曲した可撓部を復元し先端乃至後端の間隔を伸長し、後端を容器口部より容器外部に突出状とすることを特徴とする、可撓ストロー及びその容器。
【請求項２】
前記容器口部に蓋を容器口部外側と蓋内側とに螺刻した螺により螺着して冠着し着脱自在としてあることを特徴とする、請求項１記載の可撓ストロー及びその容器。
【請求項３】
前記可撓ストローの可撓部は、側周に周回する環状又は巻回する螺状の山部と谷部とを長さ方向に所定ピッチを以って周設した蛇腹状として成ることを特徴とする、請求項１及び２記載の可撓ストロー及びその容器。
【請求項４】
前記可撓ストローの可撓部は、非可撓部とした先端部と後端部との間に、連続してあることを特徴とする、請求項１及び２記載の可撓ストロー及びその容器。
【請求項５】
前記可撓ストローの可撓部は、非可撓部を介して分断した第１可撓部と第２可撓部とよりなることを特徴とする、請求項１及び２記載の可撓ストロー及びその容器。
【請求項６】
前記容器口部には、容器内部に挿入した可撓ストローの後端部側面の擦動する挿通孔を穿孔した内蓋を、可撓ストローの後端を挿通して取付してあることを特徴とする、請求項１乃至５記載の可撓ストロー及びその容器。
【請求項７】
前記可撓ストローの後端部側面には、後端を挿通し容器口部に取付した内蓋の容器内側に、挿通孔に係り擦動を制限する内側突出部を配してあることを特徴とする、請求項６記載の可撓ストロー及びその容器。
【請求項８】
前記可撓ストローの後端部側面には、後端を挿通し容器口部に取付した内蓋の容器外側に、挿通孔に係り擦動を制限する外側突出部を配してあることを特徴とする、請求項６又は７記載の可撓ストロー及びその容器。
【請求項９】
前記内蓋は挿通孔周囲を容器内側に凹陥部を有してなり、該凹陥部の容器外側と冠着した蓋の容器内側との間に空隙を成し、可撓ストローを閉蓋時において後端を該空隙内に保持して収容することを特徴とする、請求項１乃至８記載の可撓ストロー及びその容器。
【請求項１０】
前記可撓ストローは、色付けしてあることを特徴とする、請求項１乃至９記載の可撓ストロー及びその容器。
【考案の詳細な説明】
【技術分野】
【０００１】
本考案は、可撓部を有し容器内部に収容可能とした可撓ストロー及びその容器に関する。
【背景技術】
【０００２】
主として飲料用の液体を充填した樹脂又は金属等よりなり口部に蓋を冠着してある容器において該液体を飲用するに、特に５００ｍｌ以下の小容量の容器であっては、コップ等の別の容器に注がず、飲用者は、蓋を取外し容器を掴持して、容器口部を口唇に当接し容器及び頭部を傾けて飲用する方法がとられている。
【０００３】
ところが該飲用方法は、容器と共に頭部を傾けることにより前方視界が遮蔽され、自動車の運転、会議、映画鑑賞等の最中であって、前方等を注視する必要がある場合には相応しくなく、また、飲用者が容器より直接に容器口部に口唇を当接して飲用することは、所謂ラッパ飲みとして品格のないこととされることもあり、ストローを用いて前記液体を飲用する方法が多くとられている。
【０００４】
前記ストローは、先端の流入口乃至後端の流出口の長さ寸法を容器底部乃至容器口部より短くすれば、該ストローが容器内部に落下した際にストロー後端が容器内部より取出せないため、容器内部に先端を容器底部に当接状とし後端を容器口部より容器外部に突出状として挿入可能の長さ寸法としてある。
【０００５】
また前記ストローは、保管状態において衛生状態を保つ為に袋に封入してあり、容器と別に保管したり、容器の側面等に貼付け等し、或は容器口部を挿通して容器首部に取り付けする環状の取り付け部を介して取り付けして（例として、特許文献１参照。）、容器外部に保管されており、飲用者は、該袋を開封してストローを取り出し、開蓋した容器口部より容器内に挿入して、容器内部の液体の飲用に使用することとしてあり、容器よりストローの長さ寸法を長くしてあると、保管や携行するに相応しくないことから、径の異なるストローを組合せした伸縮可能のストローとすることもある。
【０００６】
しかし前記ストローは、該袋が破れて袋の外部に露出状となり保管されることも少なくなく、袋を開封して容器内部にストローを挿入するには、幼児や手袋等を着用した飲用者等の手先の不自由な飲用者にあっては、該作業に煩雑性を伴うこともあり、袋より取出したストローを床面等に落下させてしまうこともあり、加えて、ストロー側面等を指先で摘む等して保持し取扱うことを要するため不衛生な手で取扱えば、十分な衛生状態を保つことが出来なかった。
【０００７】
更に前記ストローは、先端乃至後端の長さ寸法を容器底部乃至容器口部より長くしてあり、容器内部の液体の飲用を中断するに閉蓋状態とするには、該ストローを容器外部に取出す必要があり、取出したストローを保管するに煩雑性を伴い、また衛生状態を保つことが困難であった。
【０００８】
【特許文献１】特開２００１−００２０３２
【考案の開示】
【考案が解決しようとする課題】
【０００９】
そこで前述した難点に鑑み本考案は、主として飲料用の液体を充填する容器内部に、先端乃至後端の長さ寸法を容器底部乃至容器口部より長くし、容器内部に先端を容器底部に当接状とし後端を容器口部より容器外部に突出状として挿入してあっても、閉蓋時には全体を容器内部に収納し容器口部に蓋を冠着し収容し収容状態とでき、開蓋時には蓋を取外して後端が容器口部より容器外部に突出状とし飲用状態とできる可撓ストロー及びその容器を提供することを課題とする。
【課題を解決するための手段】
【００１０】
上述の課題を解決するため本考案は、先端に流入口を後端に流出口を有し、先端乃至後端の一部に可撓部を有してなり、該可撓部は、側周に周回する環状又は巻回する螺状の山部と谷部とを長さ方向に所定ピッチを以って周設した、蛇腹状としてあり、非可撓部とした先端部と後端部との間に、連続して、或は非可撓部を介して分断した第１可撓部と第２可撓部としてあり、先端乃至後端の間隔を、外力を加え撓曲し短縮し、該外力を除けば復元し伸長することを可能とした可撓ストローとしてある。
【００１１】
これにより、該可撓ストローは、主として飲料用の液体を充填する容器内部に、先端乃至後端の長さ寸法を容器底部乃至容器口部より長くし、容器内部に先端を容器底部に当接状とし後端を容器口部より容器外部に突出状として挿入してあっても、容器口部に冠着する容器口部外側と蓋内側とに螺刻した螺により螺着して着脱自在としてある蓋を容器内部方向に押し当てることにより、可撓部を撓曲させ先端乃至後端の間隔を短縮し、全体を容器内部に収納し容器口部に蓋を冠着して閉蓋でき、また、該容器内部に収納した可撓ストローは、蓋を取外して開蓋することにより、撓曲した可撓部を復元し先端乃至後端の間隔を伸長し、後端が容器口部より容器外部に突出状とすることができる。
【００１２】
また、前記した容器口部には、容器内部に挿入した可撓ストローの後端部側面の擦動する挿通孔を穿孔した内蓋を、可撓ストローの後端を挿通して取付してあることが望ましく、容器口部の開口を可撓ストローとの間において塞ぎ、容器内部に塵等を入り難くし、容器内部に充填した流体を容器外部に毀れ難くし、また可撓ストローを保持して可撓ストローの後端を動き難くして飲用を容易とすることができる。
【００１３】
加えて、可撓ストローの後端部側面には、後端を挿通し容器口部に取付した内蓋の容器内側に、挿通孔に係り擦動を制限する内側突出部を配してあり、また、後端を挿通し容器口部に取付した内蓋の容器外側に、挿通孔に係り擦動を制限する外側突出部を配してあり、可撓ストローの後端を、必要以上に容器口部より容器外部に突出しなく、また、内蓋の容器内部側に必要以上に入り込まなくしてあるこが好ましい。
【００１４】
更に、前記した内蓋は挿通孔周囲を容器内側に凹陥部を有してなり、該凹陥部の容器外側と冠着した蓋の容器内側との間に空隙を成し、可撓ストローを閉蓋時において後端を該空隙内に保持して収容し、可撓ストローの後端を、より内蓋の容器内部側に必要以上に入り込まなくしてあることが望ましい。
【００１５】
加えて、透明な容器にあっては、前記した可撓ストローは色付けしてあり、外部より容易に視認可能としてあることが好ましい。
【考案の効果】
【００１６】
上述に構成したことにより本考案による可撓ストロー及びその容器によれば、容器内部に充填した主として飲料用の液体を、該容器外部にストローを保管することなく、全体を容器内部に収納し容器口部に蓋を冠着して、衛生的に保管してある可撓ストローを、触れることなく開蓋することのみにより飲用状態として、飲用することを可能とできる。
【考案を実施するための最良の形態】
【００１７】
本考案による可撓ストロー１０及びその容器２０を実施するための最良の形態を以下に詳説する。
【００１８】
本考案による可撓ストロー１０は、先端１１に流入口を後端１２に流出口を有し、全体を樹脂等よりなる管状としてあり、側周に周回する環状又は巻回する螺状の山部と谷部とを長さ方向に所定ピッチを以って周設した蛇腹状としてあり、外力を加えれば撓曲して応力を生じ、該外力を除けば復元する可撓部１３を、先端１１乃至後端１２の一部に有して成り、概ね長さ方向に加えた外力により、先端１１及び後端１２を介して該可撓部１３に外力を加え撓曲し、先端１１乃至後端１２の間隔を短縮し、該外力を除けば該撓曲した可撓部１３が復元し、先端１１乃至後端１２の間隔を伸長することを可能としてある。
【００１９】
前記した可撓部１３は、可撓ストロー１０に連続した単数のものとして、好ましくは非可撓部とした、先端部１４と後端部１５との間の全体又は一部に亘り設け、又は、前記した可撓部１３は、可撓ストロー１０に所要複数のものとして、好ましくは非可撓部とした、先端部１４と後端部１５との間に、非可撓部１６，１６，・・・を介して分断した可撓部１３，１３，・・・として設けてもよく、望ましくは、非可撓部１６を介して分断した、第１可撓部１３と第２可撓部１３として二箇所設けてあるとよい。
【００２０】
前記した可撓ストロー１０を挿入し収納する、主として飲料用の液体Lを充填する容器２０は、樹脂、ガラス又は金属等よりなり、容器底部２１と容器口部２２とを有し、全体を有底の筒状としてあり、容器口部２２には開口２３を有しており、望ましくは、該開口２３は、蓋３０を容器口部外側２４と蓋内側３１とに螺刻した螺により螺着して着脱自在に冠着してあり、閉蓋と開蓋とを自在としてある。
【００２１】
また、図１等に示すように、前記した可撓ストロー１０の先端１１乃至後端１２の長さ寸法は、外力を加えない状態において、これを挿入し収納する容器２０の容器底部２１乃至容器口部２２より長くしてあり、容器内部２５に挿入し先端１１を容器底部２１に当接状とした挿入状態において、後端１２を容器口部２２より容器外部２６に突出状となることとしてある。
【００２２】
上述に構成した可撓ストロー１０及びその容器２０は、図２等に示すように、前記した挿入状態において、蓋３０の容器側面の蓋裏３２を容器口部２２より容器外部２６に突出した後端１２に押し当てて、該後端１２と容器底部２１に当接した先端１１とを介して、可撓部１３に外力を加え撓曲させ、先端１１乃至後端１２の間隔を短縮し、図３等に示すように、全体を容器内部２５に押込して、容器口部２２に蓋３０を冠着し、閉蓋して、衛生的に保管する収納状態とできる。
【００２３】
また、上述に構成した可撓ストロー１０及びその容器２０は、前記した収納状態において、図２等に示すように、蓋３０を容器口部２２より取外して、開蓋して、前記した外力を除くことにより、撓曲した可撓部１３を復元して、先端１１乃至後端１２の間隔を伸長し、図１等に示すように、後端１２を容器口部２２より容器外部２６に突出状とし、可撓ストロー１０に触れることなく衛生的かつ簡易に飲用状態とできる。
【００２４】
更に、前記した容器口部２２には、図４乃至図８に示すように、容器内部２５に挿入した可撓ストロー１０の後端部１５の側面の擦動する、好ましくは該後端部１５の長さ方向横断面より僅かに大きい、挿通孔３３を穿孔した内蓋３４を、可撓ストロー１０の後端１２を挿通して取付し、容器外部２６と容器内部２５とを隔てて容器内部２５に塵等を入り難くし容器内部２５の衛生状態を保ち、容器内部２５に充填した流体Lを容器外部２６に毀れ難くし、可撓ストロー１０の後端部１５を保持して可撓ストロー１０の後端１２を動き難くして飲用を容易としてあることが望ましい。
【００２５】
また、前記した内蓋３４は、図４乃至図８に示すように、少なくとも挿通孔３３の周囲３５を容器内側方向に突出した凹陥部３６を有してなり、該凹陥部３６の容器外側と冠着した蓋３０の容器内側との間に空隙３７を成し、可撓ストロー１０を閉蓋時において後端１２を該空隙３７内に保持して収容することが望ましい。
【００２６】
加えて、可撓ストロー１０の後端部１５側面には、図６乃至図８に示すように、後端１２を挿通し容器口部２２に取付した内蓋３４の容器内側に、挿通孔３３の縁部に係り一定以上の擦動を制限する内側突出部１７を配してあり、また、後端１２を挿通し容器口部２２に取付した内蓋３４の容器外側に、挿通孔３３に係り擦動を制限する外側突出部１８を配してあり、可撓ストロー１０の後端１２を、容器口部２２において、必要以上に容器外部２６に突出しなく、また、内蓋３４の容器内部２５側に、必要以上に入り込まなくしてあることが好ましい。
【００２７】
さらに加えて、容器２０が透明で側面等より容器内部２５を目視可能としてあれば、前記した可撓ストロー１０は色付けしてあり、容器外部２６より容易に視認可能としてあることが好ましい。
【図面の簡単な説明】
【００２８】
【図１】開蓋状態にある、可撓ストロー及びその容器の縦断面図である。
【図２】閉蓋又は開蓋の途中にある、可撓ストロー及びその容器の縦断面図である。
【図３】閉蓋状態にある、可撓ストロー及びその容器の縦断面図である。
【図４】内蓋の取付を示す、容器口部の概要斜視図である。
【図５】内蓋を取付した、容器口部の概要斜視図である。
【図６】内側突出部及び外側突出部を設け、内蓋を取付した、開蓋状態にある、可撓ストロー及びその容器の縦断面図である。
【図７】内側突出部及び外側突出部を設け、内蓋を取付した、閉蓋又は開蓋の途中にある、可撓ストロー及びその容器の縦断面図である。
【図８】内側突出部及び外側突出部を設け、内蓋を取付した、閉蓋状態にある、可撓ストロー及びその容器の縦断面図である。
【符号の説明】
【００２９】
１０    可撓ストロー
１１    先端
１２    後端
１３    可撓部
１４    先端部
１５    後端部
１６    非可撓部
１７    内側突出部
１８    外側突出部
２０    容器
２１    容器底部
２２    容器口部
２３    開口
２４    容器口部外側
２５    容器内部
２６    容器外部
３０    蓋
３１    蓋内側
３２    蓋裏
３３    挿通孔
３４    内蓋
３５    周囲
３６    凹陥部
３７    空隙
Ｌ      液体
【図１】
0003103419.tif 000003
【図２】
0003103419.tif 000004
【図３】
0003103419.tif 000005
【図４】
0003103419.tif 000006
【図５】
0003103419.tif 000007
【図６】
0003103419.tif 000008
【図７】
0003103419.tif 000009
【図８】
0003103419.tif 000010